(57)【特許請求の範囲】
【請求項１】
開口部を挟み対向配置される一対のレールに、両側の縁部を係合して移動し、前記開口部を開閉するシャッターカーテンと、
該シャッターカーテンに設けられ、長手方向がシャッターカーテンの両側方向となる長尺材よりなり、シャッターカーテンの開閉方向と同方向にスライド自在とされた操作バーよりなる操作部と、
前記レールに設けられ前記開口部へ向けて突出される係止部と、
前記シャッターカーテンの両側に設けられ先端が前記縁部側から前記レールの方向に向けて突出するように進退自在となった一対のラッチ部材と、
該ラッチ部材を突出方向へ付勢して前記係止部へ係止させる付勢手段と、
前記一対のラッチ部材間に張架され、前記操作部を構成する操作バーのスライドにより張力が付与されて前記一対のラッチ部材を前記縁部側に引き込む方向に後退移動させる可撓線体と、
を具備し、
前記可撓線体は、一対の支持ローラに掛け渡されているとともに、該一対の支持ローラの間の部分が前記操作バーのスライドにより一対の支持ローラに対してシャッターカーテンの開閉方向と同方向にスライドされ、これにより張力が付与されることを特徴とするシャッターの施解錠装置。
【請求項２】
開口部を挟み対向配置される一対のレールに、両側の縁部を係合して移動し、前記開口部を開閉するシャッターカーテンと、
該シャッターカーテンに設けられ、長手方向がシャッターカーテンの両側方向となる長尺材よりなり、シャッターカーテンの開閉方向と同方向にスライド自在とされた操作バーよりなる操作部と、
前記レールに設けられ前記開口部へ向けて突出され該突出位置から後退可能となった係止部と、
前記シャッターカーテンに揺動自在に支持され、一方の揺動端位置で先端が前記縁部側から前記レールの方向に向けて突出するとともに、他方の揺動端位置で突出した前記先端が前記縁部側から引き込まれる方向に後退する一対のラッチ部材と、
前記一対のラッチ部材間に張架され前記操作部を構成する操作バーのスライドにより張力が付与されて前記一対のラッチ部材を前記他方の揺動端位置へ揺動させる可撓線体と、
を具備し
前記可撓線体は、一対の支持ローラに掛け渡されているとともに、該一対の支持ローラの間の部分が前記操作バーのスライドにより一対の支持ローラに対してシャッターカーテンの開閉方向と同方向にスライドされ、これにより張力が付与されることを特徴とするシャッターの施解錠装置。
【請求項３】
前記可撓線体は、前記一対の支持ローラ（５９，５９）に掛け渡されているとともに、前記操作バーに設けられたスリーブ（６１）に掛かり、該一対の支持ローラの間の前記スリーブに掛かる部分が前記操作バーのスライドにより左右一対の支持ローラに対してシャッターカーテンの開閉方向と同方向にスライドされ、これにより張力が付与されることを特徴とする請求項１又は２に記載のシャッターの施解錠装置。
【発明の詳細な説明】
【０００１】
【発明の属する技術分野】
本発明は、例えば、住宅の窓部等、建物の開口部に設けられるシャッターの施解錠装置に関するものである。
【０００２】
【従来の技術】
住宅などの建物の開口部である窓部には、上下に昇降自在なシャッターが設けられることがある。このシャッターは、窓部を左右から挟む対向一対のレールと、このレールに両側縁部を係合して移動し、窓部を開閉するシャッターカーテンとを有する。シャッターカーテンの移動方向の先端である最下縁部には、図１５に示すようなシャッターカーテンの左右幅方向に長尺の幅木１が連結されている。この幅木１には、窓部を閉鎖した状態のシャッターカーテンを施錠するシャッター用施錠装置３が設けられている。
【０００３】
施錠装置３は、幅木１の長手方向の端部からレール５に向けて突設するラッチ部材７を有する。ラッチ部材７は、突出方向に摺動自在となっている。一方、窓部下端に対応するレール５の下部には、ラッチ部材７が係止する係止部９が設けられている。ラッチ部材７は、図示しないバネ部材によって、レール５側に常に付勢されている。従って、シャッターカーテンを、窓部の閉鎖位置まで移動させると、バネ部材によって付勢されたラッチ部材７の先端がレール５の係止部９に係合し、シャッターカーテンは上昇不能となって閉鎖状態に施錠される。
【０００４】
幅木１の長手方向の所定位置には、揺動レバー１１が枢支されている。この揺動レバー１１における枢軸１３を挟む両端側には、上述のラッチ部材７が連結されている。従って、ラッチ部材７は、揺動レバー１１を揺動することにより、幅木１の中央側に引き寄せられることになる。これによって、シャッターカーテンは、係止部９に係合したラッチ部材７の先端が係止部９から離反し、施錠が解除されるようになっている。
【０００５】
【発明が解決しようとする課題】
しかしながら、上述した従来のシャッターの施解錠装置は、揺動レバーを幅木の長手方向の一か所、例えば長手方向の中央部分に設けてある。このため、揺動レバーを操作するには、シャッターカーテンの室内側に位置するサッシ窓を揺動レバーが操作できる位置まで開けなければならず、操作勝手が悪いという問題があった。すなわち、幅木の長手方向中央部に揺動レバーが設けられている場合には、片側の引違いサッシ窓を全開しなければならない。
【０００６】
また、係止解除手段が揺動レバーであり、その操作がシャッターカーテンを開放する方向とは異なるため、係止解除操作の後に、そのまま揺動レバーを持ってシャッターカーテンを開放することができず、揺動レバーを操作した手を持ち替えてシャッターカーテンを開放しなければならなかった。
【０００７】
そこで本発明は、上記課題を解消するために、シャッターカーテン幅方向の任意の位置で、しかも、手を持ち替えることなく一連の操作で施錠解除、及びシャッターカーテンの開放操作を行うことができるシャッター用施解錠装置を提供することを目的とする。
【０００８】
【課題を解決するための手段】
上記目的を達成するための本発明の構成を、実施の形態に対応する図面を用いて説明すると、請求項１記載のシャッターの施解錠装置２１は、開口部４５を挟み対向配置される一対のレール４３に、両側の縁部２５を係合して移動し、前記開口部４５を開閉するシャッターカーテン２７と、
該シャッターカーテン２７に設けられ、長手方向がシャッターカーテン２７の両側方向となる長尺材よりなり、シャッターカーテン２７の開閉方向と同方向にスライド自在とされた操作バーよりなる操作部３３と、
前記レール４３に設けられ前記開口部へ向けて突出される係止部４７と、
前記シャッターカーテン２７の両側に設けられ先端４９ａが前記縁部２５側から前記レール４３の方向に向けて突出するように進退自在となった一対のラッチ部材４９と、
該ラッチ部材４９を突出方向へ付勢して前記係止部４７へ係止させる付勢手段５５と、
前記一対のラッチ部材４９間に張架され、前記操作部３３を構成する操作バーのスライドにより張力が付与されて前記一対のラッチ部材４９を前記縁部２５側に引き込む方向に後退移動させる可撓線体５７と、を具備し、前記可撓線体５７は、一対の支持ローラ５９に掛け渡されているとともに、該一対の支持ローラ５９の間の部分が前記操作バーのスライドにより一対の支持ローラ５９に対してシャッターカーテン２７の開閉方向と同方向にスライドされ、これにより張力が付与されることを特徴とする。
【０００９】
このシャッターの施解錠装置２１では、操作部３３を長尺材より構成することで、長手方向が、シャッターカーテン２７の両側方向となるように設けられ、シャッターカーテン２７の両側方向の任意の位置で、操作部３３による施錠解除が可能になる。従って、幅木２９の長手方向中央部に揺動レバーが設けられる従来構造のように、片側の引違いサッシ窓を全開しなくとも、施錠解除を行うことができる。また、操作部３３が、シャッターカーテン２７の開閉方向と同方向にスライド自在となり、手を持ち替えることなく一連の操作で施錠解除、及びシャッターカーテン２７の開放操作が可能になる。
【００１０】
請求項２記載のシャッターの施解錠装置１０１は、開口部４５を挟み対向配置される一対のレール４３に、両側の縁部２５を係合して移動し、前記開口部４５を開閉するシャッターカーテン２７と、
該シャッターカーテン２７に設けられ、長手方向がシャッターカーテン２７の両側方向となる長尺材よりなり、該シャッターカーテン２７の開閉方向と同方向にスライド自在とされた操作バーよりなる操作部３３と、
前記レール４３に設けられ前記開口部４５へ向けて突出され該突出位置から後退可能となった係止部９３と、
前記シャッターカーテン２７に揺動自在に支持され、一方の揺動端位置で先端７９が前記縁部２５側から前記レール４３の方向に向けて突出するとともに、他方の揺動端位置で突出した前記先端７９が前記縁部２５側から引き込まれる方向に後退する一対のラッチ部材７３と、
前記一対のラッチ部材７３間に張架され前記操作部３３を構成する操作バースライドにより張力が付与されて前記一対のラッチ部材７３を前記他方の揺動端位置へ揺動させる可撓線体５７とを具備し、前記可撓線体５７は、一対の支持ローラ５９に掛け渡されているとともに、該一対の支持ローラ５９の間の部分が前記操作バーのスライドにより一対の支持ローラ５９に対してシャッターカーテン２７の開閉方向と同方向にスライドされ、これにより張力が付与されることを特徴とする。
【００１１】
このシャッターの施解錠装置１０１では、請求項１記載のシャッターの施解錠装置２１と同様に、シャッターカーテン２７の両側方向の任意の位置で、操作部３３による施錠解除が可能になるとともに、一連の操作で施錠解除、及びシャッターカーテン２７の開放操作が可能になるのに加え、ラッチ部材７３が揺動自在に設けられ、このラッチ部材７３が可撓線体５７を介して、操作部３３のスライドにより揺動可能となり、可撓線体５７の長さを変更することで、両側方向の長さの異なるシャッターカーテン２７への対応が容易に可能となる。
【００１２】
上記請求項１又は２のシャッターの施解錠装置は、下記請求項３のように構成してもよい。
【００１３】
請求項３の構成では、可撓線体５７は、前記一対の支持ローラ５９，５９に掛け渡されているとともに、前記操作バーに設けられたスリーブ６１に掛かり、該一対の支持ローラの間の前記スリーブに掛かる部分が前記操作バーのスライドにより左右一対の支持ローラ５９，５９に対してシャッターカーテン２７の開閉方向と同方向にスライドされ、これにより張力が付与される構成とされている。
【００１４】
【発明の実施の形態】
以下、本発明に係るシャッターの施解錠装置の好適な実施の形態を図面を参照して詳細に説明する。
図１は本発明に係る第一の実施の形態の施解錠装置を表す外観側面図、図２は図１のＡ−Ａ矢視図、図３は幅木縁部の内部構造を表す正面図、図４は図３のＢ−Ｂ矢視図、図５は図１に示した施解錠装置の解錠時における操作状況を表す説明図、図６は図１に示した施解錠装置の施錠時における動作説明図、図７は図１に示した施解錠装置の解錠時における動作説明図である。
【００１５】
図１及び図２に示すように、本実施の形態による施解錠装置２１を備えたシャッター２３は、住宅の窓などの建物の開口部４５を挟み対向配置される一対のレールに、両側の縁部２５を係合して移動し、開口部４５を開閉するシャッターカーテン２７を有している。シャッターカーテン２７の移動方向の先端部となる最下端には、シャッターカーテン２７の両側の方向である左右幅方向（図２中矢印Ｘ方向）に長い略短冊状の長尺部材である幅木２９が設けられている。幅木２９の屋外側の長手方向両端部には、戸当たり部材３１が螺着されている。
【００１６】
幅木２９の室内側の面には、操作部としての操作バー３３が設けられている。この操作バー３３は、断面略逆Ｌ字状に形成され、幅木２９の長手方向に沿う図中矢印Ｘ方向に長い長尺部材とされている。図３に示すように、幅木２９には、シャッターカーテン２７の開閉方向である上下方向（図３中矢印Ｙ方向）に長い少なくとも二つの長孔３５が、幅木２９の長手方向に間隔を隔てて穿設されている。図４に示すように、操作バー３３には、この長孔３５と同一のピッチで一対の透孔３７が穿設されている。操作バー３３の透孔３７にはビス３９が挿入される。ビス３９は、幅木２９の長孔３５に挿通され、先端にプレートナット４１が螺着される。つまり、操作バー３３は、シャッターカーテン２７の開閉方向（図中矢印Ｙ方向）と同方向の上下方向にスライド自在となって、幅木２９に取り付けられている。
【００１７】
一対のレール４３のそれぞれには、図３に示すような、窓部の下端に対応する下部における溝底部となる内部に、開口部４５へ向けて突出する係止部４７が設けられている。係止部４７は、上面が開口部４５へ向かって下り勾配となる傾斜面４７ａとなり、下面が水平面４７ｂとなる正面視略三角形状に形成されている。この係止部４７には、幅木２９に設けられる後述のラッチ部材が係止する。
【００１８】
幅木２９の長手方向両側のレール４３内を移動する縁部２５にはラッチ部材である短冊状の鍵バー４９が設けられ、鍵バー４９は長手方向が幅木２９の長手方向（図中矢印Ｘ方向）と一致するように取り付けられる。鍵バー４９の基端４９ｂには鍵バー４９の長手方向に長い長孔５１が穿設されている。長孔５１にはリベットなどの支軸５３が挿入され、支軸５３は幅木２９に固定されている。従って、鍵バー４９は、支軸５３に対して長孔５１が相対移動する範囲で、幅木２９の長手方向である図中矢印Ｘ方向にスライドするようになっている。これにより、鍵バー４９は、先端４９ａが縁部２５から進退自在となる。
【００１９】
なお、この鍵バー４９が進退する移動量Ｍは、少なくとも係止部４７の係止高さｈより大きくなるように設定されるている。
【００２０】
また、幅木２９には、鍵バー４９の基端４９ｂ近傍に、付勢手段である捩じりコイルバネ５５が配設され、捩じりコイルバネ５５は鍵バー４９を突出方向へ常に付勢している。従って、捩じりコイルバネ５５によって付勢された鍵バー４９は、シャッターカーテン２７が下降されることにより係止部４７に当接すると、係止部４７から反力を受けて捩じりコイルバネ５５の付勢力に抗して引っ込む方向に移動され、係止部４７を通過した後には、再び捩じりコイルバネ５５に付勢されて突出し、係止部４７に係止するようになっている。
【００２１】
図３に示すように、鍵バー４９の基端４９ｂには可撓線体であるワイヤー５７の一端が張架されている。ワイヤー５７の他端は、例えば、反対側の鍵バー４９に連結固定される。なお、ワイヤー５７は、他端が幅木２９に固定されるものであってもよい。この場合には、それぞれの鍵バー４９に、合計二本のワイヤー５７が張架されることになる。
幅木２９には、プレートナット４１を挟んで一対の支持ローラ５９，５９が設けられている。ワイヤー５７は、この支持ローラ５９，５９に掛け渡されるとともに、両者の間が、ビス３９に外挿されたスリーブ６１に張架されている。また、ワイヤー５７は、適宜の箇所がガイドローラ６３に張架されて所定の向きに方向が変えられている。
【００２２】
従って、ワイヤー５７は、操作バー３３が図４の上方向へスライドされると、張力が生じ、鍵バー４９を縁部２５に引き込む方向に後退移動させる。
【００２３】
次に、このように構成された施解錠装置２１の作用を説明する。
シャッターカーテン２７が閉鎖動作となって下降され、鍵バー４９が係止部４７の傾斜面４７ａに当接すると、鍵バー４９は、係止部４７から反力を受けて捩じりコイルバネ５５の付勢力に抗して引っ込み後退方向に移動される。鍵バー４９は、係止部４７を通過した後、再び捩じりコイルバネ５５の付勢力によって突出方向に移動されて、係止部４７に係止する。これにより、シャッターカーテン２７は、図６に示す施錠状態となる。この状態で、シャッターカーテン２７に、開放方向（図６の上方向）の外力が加えられても、鍵バー４９が係止部４７の水平面４７ｂに当接して、シャッターカーテン２７は開放が阻止される。
【００２４】
一方、シャッターカーテン２７の施錠状態を解除、すなわち解錠するには、図５に示すように、操作バー３３を、シャッターカーテン２７の開放方向、すなわち、上方向にスライドする。この操作バー３３のスライドは、例えば同図に示すように、親指を幅木２９上縁に突設されている水平突板６５に掛け、他の指を操作バー３３に掛けて把持することで互いの間隔を狭める操作にて容易に行うことができる。この際、操作バー３３は、図２中矢印Ｘ方向に長尺に形成されているので、シャッターカーテン２７の左右幅方向である両側の方向の任意の位置で把持することができる。
【００２５】
操作バー３３が上方向にスライドされると、図７に示すように、スリーブ６１が長孔３５に沿って上方向へ移動され、支持ローラ５９，５９の間に掛け渡されたワイヤー５７が上方向へ引っ張られる。従って、ワイヤー５７に張力が付与され、鍵バー４９が捩じりコイルバネ５５の付勢力に抗して引っ込む方向に移動される。これにより、鍵バー４９の先端４９ａが係止部４７との係止状態が解除されて、この係止部４７から外れて解錠され、シャッターカーテン２７が開放可能となる。
【００２６】
開放可能となったシャッターカーテン２７は、操作バー３３が上側へスライドされた状態のまま、更に上方へ持ち上げられることで、操作バー３３の解錠方向と同方向の力で、開放されることになる。
【００２７】
すなわち、この施解錠装置２１では、長尺材の操作バー３３の長手方向が、シャッターカーテン２７の幅方向となるように設けられ、シャッターカーテン２７の左右幅方向の任意の位置で、操作バー３３による施錠状態の解除が可能になる。従って、幅木２９の長手方向中央部に揺動レバーが設けられる従来構造のように、片側の引違いサッシ窓を全開しなくとも、解錠操作を行うことができる。また、操作バー３３が、シャッターカーテン２７の開閉方向と同方向（図中矢印Ｙ方向）にスライド自在とされる構成であるので、手を持ち替えることなく、シャッターカーテン２７の開放を行うという一連の操作で解錠、及びシャッターカーテン２７の開放を行うことができる。
【００２８】
また、ワイヤー５７により鍵バー４９を連結するので、長尺の鍵バー４９を使用せずに装置を構成することができ、施錠装置を軽量にすることができる。
【００２９】
なお、鍵バー４９は、必ずしも左右一対でなくてもよく、幅木２９の少なくとも一方の縁部２５において突出し、その先端４９ａがレール４３にある係止部４７に係止する構成であればよい。
【００３０】
次に、本発明に係るシャッターの施解錠装置の第二の実施の形態を説明する。
図８は本発明に係る第二の実施の形態の幅木縁部の内部構造を表す正面図、図９は図８の施解錠装置の解錠時の状態を表す正面図である。なお、図１〜図７に示した部材と同一の部材には同一の符号を付し、重複する説明は省略する。
【００３１】
この実施の形態による施解錠装置７１は、幅木２９のレール４３内を移動する縁部２５に、ラッチ部材である鍵爪７３が、幅木２９の表裏方向（矢印Ｚ方向（図４参照））の揺動軸７５を中心に揺動自在に設けられている。鍵爪７３は、鉛直方向に長い短冊状の基部材７７と、この基部材７７の上下方向略中央部から縁部２５側へ水平方向に突出した先端としての爪部７９とによって略Ｔ字状に形成されている。
【００３２】
鍵爪７３は、基部材７７の長手方向が垂直な方向（図８中矢印Ｙ方向）に配置された状態で、爪部７９が幅木２９の縁部２５から水平な方向（図中矢印Ｘ方向）に突出する。爪部７９は、通常時、基部材７７が捩じりコイルバネ８１によって付勢され、縁部２５から突出している。
【００３３】
基部材７７の下部には、連結ピン８３が固設されている。一方、幅木２９の下縁には支持板８５が水平に突設され、支持板８５上には摺動板８７が幅木２９の長手方向（図中矢印Ｘ方向）に摺動自在に載置されている。摺動板８７には垂直方向（矢印Ｙ方向）に長い長孔８９が穿設され、この長孔８９には鍵爪７３の連結ピン８３が係合されている。つまり、摺動板８７は、鍵爪７３の揺動に従動して、幅木２９の長手方向（矢印Ｘ方向）に沿って移動するようになっている。
【００３４】
鍵爪７３は、図８に示した揺動位置である一方の揺動端位置で先端の爪部７９が縁部２５から突出するとともに、図８の状態から図中反時計回り方向に回転されることにより配置される図９に示す他方の揺動端位置で突出した先端の爪部７９が縁部２５から引き込まれ後退するようになっている。
【００３５】
幅木２９には長孔３５が穿設される。この長孔３５は、鍵爪７３が一方の揺動端位置に配置された時の摺動板８７の後端に一致する位置に配設されている。この長孔３５は、幅木２９の長手方向に対し直交する垂直な方向、すなわちシャッターカーテン２７の移動方向と同方向に長尺で、上述のビス３９に変えてピン状のストッパ９１が挿入されている。このストッパ９１も、上述のビス３９と同様に、操作バー３３に固設されている。つまり、操作バー３３がシャッターカーテン２７の移動方向と同方向（図中矢印Ｙ方向）にスライドされることで、ストッパ９１も長孔３５に沿って移動される。
【００３６】
ストッパ９１は、長孔８９の下方に位置することで、摺動板８７の後端に当接し、摺動板８７の摺動を規制する（図８参照）。これにより、鍵爪７３は、他方の揺動端位置方向への揺動が阻止されるようになっている。また、ストッパ９１は、操作バー３３が上方向へ操作されることにより、摺動板８７の摺動を規制する位置から退避されるようになっている（図９参照）。
【００３７】
なお、本実施の形態に用いられるレール４３内の係止部９３は、上端９３ａが軸９４を介して回動自在に取り付けられている。また、係止部９３には付勢部材９５が配設され、付勢部材９５は係止部９３を図８の反時計回り方向に付勢している。但し、係止部９３は、所定高さ以上突出しないように、規制手段によってその回動が規制されている。つまり、この係止部９３は、突出位置から付勢部材９５の付勢力に抗することで後退可能となっている。
【００３８】
次に、このように構成された施解錠装置７１の作用を説明する。
シャッターカーテン２７が閉鎖動作となって下降され、鍵爪７３が係止部９３に当接すると、係止部９３は、鍵爪７３から反力を受けて付勢部材９５の付勢力に抗して後退方向に移動される。係止部９３は、鍵爪７３が通過した後、再び付勢部材９５の付勢力によって突出方向に移動されて、鍵爪７３に係止する。これにより、シャッターカーテン２７は、施錠状態となる。この状態で、シャッターカーテン２７に、開放方向（図８の上方向）の外力が加えられても、鍵爪７３は係止部９３に当接して、シャッターカーテン２７は開放が阻止される。
【００３９】
一方、シャッターカーテン２７の施錠状態を解除、すなわち解錠するには、操作バー３３を、シャッターカーテン２７の開放方向、すなわち、上方向にスライドする。操作バー３３が上方向にスライドされると、図９に示すように、ストッパ９１が長孔３５に沿って上方向へ移動され、摺動板８７の規制が解除される。これにより、係止部９３に当接した鍵爪７３は、反時計回りに回動可能となって、シャッターカーテン２７の開放が可能となる。
【００４０】
すなわち、この第二の実施の形態の施解錠装置７１では、上述の第一の実施の形態の施解錠装置２１と同様に、シャッターカーテン２７の左右幅方向の任意の位置で、操作バー３３による施錠状態の解除が可能になる。また、操作バー３３が、シャッターカーテン２７の開閉方向と同方向（図中矢印Ｙ方向）にスライド自在とされる構成であるので、手を持ち替えることなく、シャッターカーテン２７の開放を行うという一連の操作で解錠、及びシャッターカーテン２７の開放を行うことができる。これに加え、鍵爪７３が揺動自在に設けられ、この鍵爪７３の揺動がストッパ９１により阻止可能なので、外力による鍵爪７３の引き込みが防止でき、操作バー３３以外の解錠が確実に防止される。
【００４１】
なお、この施解錠装置７１の鍵爪７３は、上述した第一の実施の形態の施解錠装置２１に用いたワイヤー５７を用いて、揺動させることができる。
図１０は第二の実施の形態の変形例を表す正面図、図１１は図１０の解錠時の状態を表す正面図である。
この変形例は、ストッパ９１を省略する一方、摺動板８７の基端にワイヤー５７を張架し、このワイヤー５７を第一の実施の形態と同様の構成である支持ローラ５９，５９と、スリーブ６１とに張架してある。
【００４２】
従って、操作バー３３が上方向にスライドされると、図１１に示すように、スリーブ６１が長孔３５に沿って上方向へ移動され、支持ローラ５９，５９の間に掛け渡されたワイヤー５７が上方向へ引っ張られる。従って、ワイヤー５７に張力が付与され、鍵爪７３が捩じりコイルバネ８１の付勢力に抗して引っ込む方向に揺動される。これにより、鍵爪７３が係止部９３から外れて解錠され、シャッターカーテン２７が開放可能となる。
【００４３】
この変形例による施解錠装置１０１によれば、鍵爪７３が揺動自在に設けられ、この鍵爪７３がワイヤー５７を介して、操作バー３３のスライドにより揺動可能となる。これにより、ワイヤー５７の長さを変更することで、両側方向の長さの異なるシャッターカーテン２７への対応が容易に可能となる。
【００４４】
なお、上述の実施の形態では、施解錠装置２１，７１，１０１が、シャッターカーテン２７の移動方向の先端となる最下端の幅木２９に設けられる例を説明したが、本発明に係る施解錠装置は、シャッターカーテン２７の中途部分を構成する構成部材に設けられてもよい。
【００４５】
また、上述の実施の形態では、操作部３３を、幅木２９の長手方向に沿う長尺部材とされた操作バーとした構成の例について述べたが、この操作バーの形状としては、シャッターカーテン２７の両側の方向に長い連続した長尺部材として構成してもよく、また、少なくとも両縁近傍を含んで断続的に複数となる構成としてもよい。
この操作部を、断続した複数とする構成の場合は、それぞれを短尺な短冊状に形成される操作バーを互いに連結する構成とする。
【００４６】
この複数の操作バーで構成される操作部としては、例えば、図１２に示すように、それぞれの操作バー１３３を短尺な短冊形状に形成するとともに、各操作バー１３３を、上述の実施の形態と略同様に断面略逆Ｌ字形状が連続する部材とし、それぞれの操作バー１３３の互いに隣り合う端部間にリンク部材１３４を連結させ、このリンク部材１３４を介して各操作バー１３３を連結させる構成とする。この構成によれば、複数の操作バー１３３のいずれか１つを操作することで、リンク部材１３４にて各操作バー１３３が連動し、これにより、ワイヤーに張力が生じ施錠解除が行われる構成となる。
【００４７】
また、図１３に示すように、上記同様、それぞれの操作バー２３３を短尺な短冊形状に形成するとともに、各操作バー２３３を、上述の実施の形態と略同様に断面略逆Ｌ字形状が連続する部材とし、各操作バー２３３の隣り合う操作バー２３３の端部に、シャッターカーテン２７の移動方向と同方向に長尺な長孔２３４を形成して、互いの操作バー２３３の端部同士を重ね合わせ、長孔２３４を貫通させてピン２３５にて結合させる構成とする。この構成によれば、複数の操作バー２３３のいずれか１つを操作すると、その操作される操作バー２３３のみが動作し、これにより、ワイヤーに張力を生じさせることとなって施錠解除が行われる構成となる。
【００４８】
さらに、上述した実施の形態では、係止部４７，９３がレール４３内に配設され、ラッチ部材（鍵バー４９，鍵爪７３）がレール４３内に突出する構成の例について説明したが、係止部４７，９３は、レール４３の外側面に位置して配置されることとしてもよく、例えば、図１４（ａ），（ｂ）に示すように、レール４３の下部に位置して断面コ字状のブラケット１２１を設け、このブラケット１２１内に、上記同様の係止部４７，９３を配設させる構成としてもよい。
この場合、シャッターカーテン２７の例えば幅木２９に位置させて、この幅木２９の一方の面に本発明の施解錠装置２１，７１，１０１が重合するように設け、幅木２９と施解錠装置２１，７１，１０１とが略一体となる構成として、縁部２５よりラッチ部材４９，７３が突出する構成として、好ましくは、係止部４７，９３をレール４３の屋内側の外側面に位置させ、シャッターカーテン２７の屋内面に施解錠装置２１，７１，１０１を配置する構成とする。
このような構成とすることで、既設のシャッターカーテン２７に対し、後付け施工で施解錠装置２１，７１，１０１を設けることが可能となり、また、係止部４７，９３とラッチ部材４９，７３との位置調整を容易に行える構成を採れ、さらには、屋内側に構成することで防犯性が向上することとなる。
【００４９】
さらに、上述の実施の形態では、施解錠装置２１，７１，１０１を備えたシャッターカーテン２７が上下方向に開閉する例を説明したが、本発明に係る施解錠装置は、左右方向、水平方向、傾斜方向に開閉する開閉体に設けられてもよい。
【００５０】
また、上述の各実施の形態において、シャッターカーテン２７は、例えば上記幅木２９を含み、短冊板状あるいはパネル板状のスラット材が複数連結されたもの、あるいは、単一のパネル材等で構成されていてもよく、上記実施の形態における施解錠装置２１，７１，１０１は、前記シャッターカーテン２７の構成部材である幅木２９、スラット材、あるいはパネル材等に設けられていればよい。また、シャッターとしての構成は、例えば、巻取式、スライド送込み式、折畳み式等、何れの構造であってもよい。
【００５１】
【発明の効果】
以上詳細に説明したように、本発明に係る請求項１記載のシャッターの施解錠装置は、操作部をシャッターカーテンに設け、シャッターカーテン両側のラッチ部材に可撓線体の一端を張架し、長手方向がシャッターカーテンの両側方向となる長尺材よりなる操作バーにより操作部を構成し、可撓線体は、一対の支持ローラに掛け渡されているとともに該一対の支持ローラの間の部分が操作バーのスライドにより一対の支持ローラに対してシャッターカーテンの開閉方向と同方向にスライドされ、これにより張力が付与される構成とし、操作部のスライドにより可撓線体に張力を付与して、ラッチ部材を引き込むようにしたので、シャッターカーテンの両側方向の任意の位置で操作部を操作して施錠解除を行うことができる。また、操作部が、シャッターカーテンの開閉方向と同方向にスライド自在となるので、手を持ち替えることなく、シャッターカーテンを開放させるという一連の操作で施錠状態の解除、及びシャッターカーテンの開放操作を行うことができ、操作性を向上させることができる。
【００５２】
請求項２記載のシャッターの施解錠装置は、請求項１記載のシャッターの施解錠装置と同様に、シャッターカーテンの両側幅方向の任意の位置で施錠状態の解除を行うことができるとともに、一連の操作で施錠の解除、及びシャッターカーテンの開放操作を行うことができるのに加え、揺動自在なラッチ部材を設け、且つこのラッチ部材に、操作部のスライドにより張力を付与する可撓線体を張架したので、可撓線体の長さを変更するのみにより、幅方向の長さの異なるシャッターカーテンに容易に対応することができる。
【図面の簡単な説明】
【図１】  本発明に係る第一の実施の形態の施解錠装置を表す外観側面図
【図２】  図１におけるＡ−Ａ矢視図
【図３】  幅木縁部の内部構造を表す正面図
【図４】  図３におけるＢ−Ｂ矢視図
【図５】  図１に示した施解錠装置の解錠時における操作状況を表す説明図
【図６】  図１に示した施解錠装置の施錠時における動作説明図
【図７】  図１に示した施解錠装置の解錠時における動作説明図
【図８】  本発明に係る第二の実施の形態の幅木縁部の内部構造を表す正面図
【図９】  図８における施解錠装置の解錠時の状態を表す正面図
【図１０】  第二の実施の形態の変形例を表す正面図
【図１１】  図１０の解錠時の状態を表す正面図
【図１２】  他の実施の形態の施解錠装置を示す概略斜視図
【図１３】  他の実施の形態の施解錠装置を示す概略斜視図
【図１４】  （ａ）他の実施の形態の施解錠装置におけるレールの平断面図
（ｂ）同レールの概略正面図
【図１５】  従来の施解錠装置が設けられたシャッターの一部分を表す正面図
【符号の説明】
２１，７１，１０１…シャッターの施解錠装置
２５…縁部
２７…シャッターカーテン
３３…操作部
４３…レール
４５…開口部
４７，９３…係止部
４９…ラッチ部材（鍵バー）
４９ａ…先端
５５，８１…付勢手段（捩じりコイルバネ）
５７…可撓線体（ワイヤー）
７３…ラッチ部材（鍵爪）
７９…先端（爪部）
９１…ストッパ
【図１】
0004075232.tif 000002
【図２】
0004075232.tif 000003
【図３】
0004075232.tif 000004
【図４】
0004075232.tif 000005
【図５】
0004075232.tif 000006
【図６】
0004075232.tif 000007
【図７】
0004075232.tif 000008
【図８】
0004075232.tif 000009
【図９】
0004075232.tif 000010
【図１０】
0004075232.tif 000011
【図１１】
0004075232.tif 000012
【図１２】
0004075232.tif 000013
【図１３】
0004075232.tif 000014
【図１４】
0004075232.tif 000015
【図１５】
0004075232.tif 000016